(57)【要約】【課題】例えば、より容易に取り付けたり取り外したりできるなど、より不都合が少なく改善された新規な構成の開口部の防水装置を得る。【解決手段】開口部の防水装置は、例えば、床面と隣接し側方に向けて開口する開口部を、屋外側から覆う、遮水板と、遮水板および開口部が設けられる構造物のうちいずれか一方に回転可能に設けられ回転操作によって他方に設けられた引掛部と引っ掛かるクレセントを有した、クレセント錠と、遮水板と床面との間、および遮水板と構造物との間をシールする弾性変形可能なシール部材と、を備え、クレセントは、引掛部から他方側かつ下方へ力を受ける状態で引掛部と引っ掛かるよう構成される。【選択図】図４
2016079675.tif 000002
【特許請求の範囲】
【請求項１】
床面と隣接し側方に向けて開口する開口部を、屋外側から覆う、遮水板と、
前記遮水板および前記開口部が設けられる構造物のうちいずれか一方に回転可能に設けられ回転操作によって他方に設けられた引掛部と引っ掛かるクレセントを有した、クレセント錠と、
前記遮水板と前記床面との間、および前記遮水板と前記構造物との間をシールする弾性変形可能なシール部材と、
を備え、
前記クレセントは、前記引掛部から前記他方側かつ下方へ力を受ける状態で前記引掛部と引っ掛かるよう構成された、開口部の防水装置。
【請求項２】
前記引掛部は、前記構造物の前記開口部を構成する面とは異なる面に設けられた、請求項１に記載の開口部の防水装置。
【発明の詳細な説明】
【技術分野】
【０００１】
本発明は、開口部の防水装置に関する。
【背景技術】
【０００２】
従来、開口部を屋外側から覆う防水シートを有した開口部の防水装置が知られている（例えば、特許文献１）。
【先行技術文献】
【特許文献】
【０００３】
【特許文献１】特許第４４５９７４０号公報
【発明の概要】
【発明が解決しようとする課題】
【０００４】
例えば、より容易に取り付けたり取り外したりできるなど、より不都合が少なく改善された新規な構成の防水装置が得られれば有意義である。本発明の課題の一つは、例えば、より不都合が少なく改善された新規な構成の開口部の防水装置を得ることである。
【課題を解決するための手段】
【０００５】
本発明の開口部の防水装置は、例えば、床面と隣接し側方に向けて開口する開口部を、屋外側から覆う、遮水板と、上記遮水板および上記開口部が設けられる構造物のうちいずれか一方に回転可能に設けられ回転操作によって他方に設けられた引掛部と引っ掛かるクレセントを有した、クレセント錠と、上記遮水板と上記床面との間、および上記遮水板と上記構造物との間をシールする弾性変形可能なシール部材と、を備え、上記クレセントは、上記引掛部から上記他方側かつ下方へ力を受ける状態で上記引掛部と引っ掛かるよう構成される。よって、例えば、クレセント錠を用いた比較的簡素な構成によって、遮水板を、開口部を覆う位置に留めることができる。
【０００６】
また、上記開口部の防水装置では、例えば、上記引掛部は、上記構造物の上記開口部を構成する面とは異なる面に設けられる。よって、例えば、引掛部が構造物の開口部を構成する面に設けられた場合と比べて、開口部の意匠性が向上しやすい。
【発明の効果】
【０００７】
本発明によれば、例えば、より容易に取り付けたり取り外したりできるなど、より不都合が少なく改善された新規な構成の開口部の防水装置が得られる。
【図面の簡単な説明】
【０００８】
【図１】図１は、実施形態の開口部の防水装置の模式的かつ例示的な平面図である。
【図２】図２は、実施形態の開口部の防水装置の屋外側かつ上側から見た例示的な斜視図である。
【図３】図３は、実施形態の開口部の防水装置の図４の状態となる前の状態での斜視図である。
【図４】図４は、図２の一部の拡大図である。
【発明を実施するための形態】
【０００９】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つが得られうる。
【００１０】
また、以下の各図では、便宜上、開口部１１の開口方向の屋外側がＸ方向、Ｘ方向の視線での左側がＹ方向、および上方がＺ方向と、定義される。また、以下では、開口部１１を介して一方側の空間から他方側の空間へ水が侵入する可能性がある場合の他方側（下流側）が屋内側と定義され、一方側（上流側）が屋外側と定義される。すなわち、屋内側（下流側）とは、水の侵入を抑制（阻止、防止）したい側であり、屋外側（上流側）とは、侵入可能性のある水が流れてくる側のことである。なお、屋内側や屋外側とは水が侵入する可能性がある場合の下流側や上流側を意味する便宜上の文言であり、本発明は、例えば道路や廊下等の通路のような家屋や部屋等の概念が必ずしも明確にならない場所にも適用できる。
【００１１】
図１，２に示されるように、防水装置１は、建物等の構造物の壁１０（側壁）に設けられた開口部１１に対応して、設けられる。開口部１１は、床面１２の上側に隣接し、側方（例えば、Ｘ方向やＹ方向）に向けて開口している。開口部１１は、上下方向に長い長方形状（四角形状）に形成される。開口部１１の縁は、床面１２と、左右両側で上下方向に延びる方立１３，１３（柱、構造物）と、上方で左右方向に延びる梁（図示されず）とによって構成される。方立１３は、角柱状に構成されている。なお、開口部１１の屋内側には、開口部１１を開閉可能に覆う扉１５，１５が設けられている。扉１５は、スライドドア（所謂自動ドア）である。扉１５は、壁１０および床面１２に沿って、図１の左右方向（Ｙ方向およびその反対方向）に、開位置（図示されず）と閉位置（図１）との間で移動する。なお、本実施形態では、床面１２ａとは開口部１１の下方に位置する面を意味する便宜上の文言であり、床面１２ａは、通常の床面に限らず、コンクリート面や地面等を含む。
【００１２】
防水装置１は、遮水板２を有する。遮水板２は、長方形（四角形）の板状に構成されている。遮水板２は、開口部１１の少なくとも下部を覆う。具体的に、遮水板２は、その厚さ方向が床面１２（Ｘ方向）と略平行な姿勢で、床面１２上に重ねられて起立するとともに、方立１３に屋外側から重ねられる。このように遮水板２が開口部１１の下部を覆った状態で、遮水板２の端部２ａ（下端部、図３参照）と床面１２との間、および遮水板２の左右両側の端部２ｂ（側端部）と方立１３との間がシールされることにより、開口部１１を介した屋内側への雨水等の水の浸入が、抑制（阻止、防止）される。また、遮水板２は、ケース（例えば金属材料等）と、当該ケースの内部に収容された比較的軽量な材料（例えば発泡材料等）とを有し、全体として比較的軽量となるよう構成されている。遮水板２の全体の比重は、例えば、水の比重よりも小さく設定されうる。これにより、操作者は、遮水板２の運搬や、取り付け、取り外し等を、より容易に行える。
【００１３】
図３に示されるように、遮水板２の端部２ａと床面１２との間、および遮水板２の端部２ｂと方立１３の面１３ａ（前面）との間には、それぞれ、シール部材３が設けられている。シール部材３は、例えば、エラストマ等の弾性材料で構成される。シール部材３は、遮水板２と床面１２あるいは方立１３との間に挟まれることで、弾性的に圧縮され、面圧を生じる。この面圧によって、水の浸入がより一層確実に抑制されうる。なお、本実施形態では、シール部材３は、遮水板２に設けられるが、シール部材３の少なくとも一部は、床面１２や方立１３側に設けられてもよい。
【００１４】
そして、本実施形態では、遮水板２と方立１３とが、図２〜４に示されるクレセント錠４で一体化されるよう、構成されている。クレセント錠４は、遮水板２の長手方向（Ｙ方向）の両側の端部２ｂに、それぞれ、二つずつ設けられている。図３に示されるように、クレセント錠４は、ベース部材５と、ベース部材５に回転軸１６を介して回転可能に支持されたクレセント６と、クレセント６を回転操作するレバー７と、クレセント６が引っ掛かる引掛部８が設けられたクレセント受け部材９と、を有する。本実施形態では、例えば、ベース部材５およびクレセント６が遮水板２に取り付けられ、クレセント受け部材９（引掛部８）が方立１３に取り付けられている。クレセント６は、レバー７の回転操作によって、回転軸１６回りに、図３に示される開位置（解錠位置）と図４に示される閉位置（施錠位置）との間のほぼ１８０度の範囲で回転する。
【００１５】
ベース部材５には、その長手方向（Ｚ方向）に間隔をあけて複数（例えば、二つ）の開口部が設けられている。図４に示されるように、ベース部材５は、開口部を通されたねじ等の結合具５ａによって、端部２ｂの面２ｃ（端面）に結合されている。
【００１６】
クレセント６は、Ｙ方向に沿った回転軸１６と交叉して（例えば、直交して）径方向に広がった壁部６ａ（底壁部）と、壁部６ａの縁部から回転軸１６の軸方向の一方側（外側、遮水板２とは反対側）に突出した壁部６ｂ（周壁部、側壁部）と、を有する。壁部６ｂは、半円筒状に構成されている。また、壁部６ｂは、回転軸１６に対して偏心している。具体的には、壁部６ｂは、先端部（レバー７とは反対側の端部）から基端側（レバー７側）に向かって徐々に回転軸１６との間の距離が短くなるよう構成されている。
【００１７】
レバー７は、クレセント６と一体に設けられ、壁部６ｂの端部（基端部）から径方向の外側に突出している。本実施形態では、レバー７が下向きの状態（開位置、図３参照）からレバー７が上向きの状態（閉位置、図４参照）となるよう、レバー７を回転軸１６よりも屋外側で閉方向に回転させることにより、クレセント６の壁部６ｂと引掛部８とが引っ掛かる。図３，４に示される図２の左右方向の手前側（左側）のクレセント錠４では、レバー７の閉方向が反時計回り方向となり、レバー７の開方向が時計回り方向となる。一方、図２の左右方向の奥側（右側）のクレセント錠４では、図３，４に示されるクレセント錠４とは反対に、レバー７の閉方向が時計回り方向となり、レバー７の開方向が反時計回り方向となる。
【００１８】
図３に示されるように、クレセント受け部材９は、方立１３の面１３ｃ（側面）と重ねられる壁部９ａ（底壁部）と、壁部９ａの縁部から軸方向の一方側（外側、方立１３とは反対側）に突出した壁部９ｂ（側壁部）と、を有する。クレセント受け部材９は、例えば、壁部９ａの開口部を通されたねじ等の結合具（図示されず）によって、方立１３の面１３ｃに結合されうる。ここで、図２に示されるように、面１３ｃは、方立１３（構造物）の開口部１１を構成する面１３ｂ（側面）とは反対側の面である。また、面１３ｃは、遮水板２の面２ｃ（端面）と並んでいる。
【００１９】
また、壁部９ｂの先端部（壁部９ａとは反対側の端部）には、引掛部８（爪部）が設けられている。引掛部８は、フック状に構成され、壁部９ｂの先端部から方立１３側に向けて湾曲されている（折り返されている）。引掛部８は、クレセント６の壁部６ｂを引っ掛けることにより、遮水板２が開口部１１を覆う位置から外れる（離脱する、移動する）のを抑制する。
【００２０】
図４に示されるように、遮水板２が開口部１１を屋外側から覆うように取り付けられ、クレセント６が引掛部８に引っ掛けられた状態では、壁部６ｂの内面６ｃと引掛部８とが接触する。ここで、本実施形態では、クレセント６の壁部６ｂと回転軸１６との間の距離が先端部（レバー７とは反対側の端部）から基端側（レバー７側）に向かって徐々に短くなるため、レバー７の閉方向への回転に伴ってシール部材３の弾性変形に伴う力Ｆｐ１（弾性力）が生じ、徐々にシール部材３の面圧が高まる。すなわち、レバー７の閉方向への回転によって、クレセント６ひいては遮水板２が引掛部８から方立１３側（他方側、屋内側）への力を受け、これにより、遮水板２と方立１３との間のシール部材３が徐々に圧縮される。また、本実施形態では、クレセント６は、シール部材３の弾性変形に伴う力Ｆｐ２（弾性力）が生じた状態（引掛部８から下方へ力を受ける状態）で、引掛部８に引っ掛けられている。この場合、例えば、レバー７の閉方向への回転によって、遮水板２と床面１２との間のシール部材３が徐々に圧縮されるよう構成されうる。レバー７が閉位置（図４参照）に位置された状態では、壁部６ｂの内面６ｃと引掛部８の内面との接触により、クレセント６ひいては遮水板２の屋外側への移動が抑制され、壁部６ｂの内面６ｃと引掛部８の下端部との接触により、クレセント６ひいては遮水板２の上方への移動が抑制される。また、内面６ｃと引掛部８の内面との接触により、遮水板２と方立１３との間のシール部材３が圧縮された状態が維持され、内面６ｃと引掛部８の下端部との接触により、遮水板２と床面１２との間のシール部材３が圧縮された状態が維持される。このように、本実施形態によれば、操作者は、クレセント錠４のレバー７を閉方向に回転させるという比較的簡単な操作によって、遮水板２を、開口部１１を覆う位置に取り付けることができる。また、レバー７を閉方向に回転させることにより、遮水板２と方立１３との間、および遮水板２と床面１２との間の面圧が増大し、これらの位置でのシール性を向上させることができる。また、本実施形態では、クレセント６は、引掛部８から方立１３側（他方側、屋内側）かつ下方（床面１２ａ側）へ力を受ける状態で引掛部８と引っ掛かるよう構成されているため、遮水板２が比較的軽量である場合（例えば、遮水板２の全体の比重が水の比重より小さい場合等）でも、水による浮力で遮水板２が上方（床面１２とは反対側）へ移動してしまうのを効果的に抑制（阻止、防止）することができる。
【００２１】
以上、説明したように、本実施形態では、遮水板２（一方）に回転可能に設けられ回転操作によって方立１３（構造物、他方）に設けられた引掛部８と引っ掛かるクレセント６を有したクレセント錠４を備え、クレセント６は、引掛部８から方立１３側（他方側、屋内側）かつ下方へ力を受ける状態で引掛部８と引っ掛かるよう構成されている。よって、本実施形態によれば、例えば、クレセント錠４を用いた比較的簡素な構成によって、遮水板２を、開口部１１を覆う位置に留めることができる。また、例えば、操作者は、クレセント錠４のレバー７を回転させるという比較的簡単な操作によって、遮水板２を、開口部１１を覆う位置に取り付けたり、開口部１１を覆う位置から取り外したりすることができる。また、クレセント６と引掛部８との引っ掛かりによって、シール部材３が弾性変形して面圧が増大され、遮水板２と方立１３との間、および遮水板２と床面１２との間のシール性を向上させることができる。また、例えば、遮水板２が比較的軽量である場合（例えば、遮水板２の全体の比重が水の比重より小さい場合等）に、クレセント６と引掛部８との引っ掛かりが、シール性の向上に資する場合がある。
【００２２】
また、本実施形態では、例えば、引掛部８は、方立１３（構造物）の開口部１１を構成する面１３ｂ（側面）とは異なる面１３ｃ（側面）に設けられている。よって、例えば、引掛部８が方立１３の開口部１１を構成する面１３ｂに設けられた場合と比べて、開口部１１の意匠性が向上しやすい。また、人や物が開口部１１を通過する際に、引掛部８が障害となり難い。
【００２３】
なお、本実施形態では、ベース部材５およびクレセント６が遮水板２に取り付けられたが、ベース部材５およびクレセント６が方立１３（構造物）に取り付けられ、クレセント受け部材９（引掛部８）が遮水板２に取り付けられる構成でもよい。また、本実施形態では、クレセント錠４が、遮水板２の長手方向（Ｙ方向）の両側の端部２ｂにそれぞれ二つずつ設けられたが、それぞれ三つ以上あるいは一つずつ設けられる構成であってもよい。また、一方側の端部２ｂのみにクレセント錠４が設けられ、他方側の端部２ｂにはクレセント錠４とは異なる引掛部が設けられる構成であってもよい。また、クレセント錠４は、レバー７が上向きの状態が開位置（解錠位置）となり、レバー７が下向きの状態が閉位置（施錠位置）となるよう構成されてもよい。
【００２４】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形状、大きさ、長さ、幅、厚さ、高さ、数、配置、位置、材質等）は、適宜に変更して実施することができる。例えば、開口部の縁部（方立等）の形状や、クレセント錠の形状、クレセント錠の位置等も、上記実施形態には限定されない。
【符号の説明】
【００２５】
１…防水装置、２…遮水板、３…シール部材、４…クレセント錠、６…クレセント、８…引掛部、１１…開口部、１２…床面、１３…方立（構造物）、１３ｃ…面（開口部１１を構成する面とは異なる面）。
【図１】
2016079675.tif 000003
【図２】
2016079675.tif 000004
【図３】
2016079675.tif 000005
【図４】
2016079675.tif 000006